(57)【要約】【課題】モータとモータの制御基板との電気的な接続において、接続不良が生じないように製造することができるドライブ装置の製造方法を提供する。【解決手段】記録媒体３３をモータ３２で回転駆動させるドライブ装置３０の製造方法において、モータ３２とモータの制御基板３４とを接続する接続配線基板３６の一方の端部３６ａが予め接続されたモータ３２を、ドライブ装置筐体３１に取り付けた後、接続配線基板３６の他方の端部３６ｂをモータの制御基板３４に接続する。【選択図】図６
2009213318.tif 000002
【特許請求の範囲】
【請求項１】
記録媒体をモータで回転駆動させるドライブ装置の製造方法において、
モータとモータの制御基板とを接続する接続配線基板の一方の端部が予め接続されたモータを、ドライブ装置筐体に取り付けた後、
接続配線基板の他方の端部をモータの制御基板に接続することを特徴とするドライブ装置の製造方法。
【請求項２】
前記接続配線基板は、予め折り畳まれた状態に形成されており、
該折り畳まれた状態の接続配線基板が接続されたモータを、ドライブ装置筐体に取り付けた後、
折り畳みを解除して、接続配線基板の他方の端部をモータの制御基板に接続することを特徴とする請求項１記載のドライブ装置の製造方法。
【請求項３】
前記折り畳まれた状態の接続配線基板の一方の端部が接続されたモータをドライブ装置筐体に取り付ける際には、前記折り畳まれた状態の接続配線基板の折り畳みが解除されないように、折り畳まれた状態の接続配線基板の上方を被覆部材によって覆うことを特徴とする請求項２記載のドライブ装置の製造方法。
【請求項４】
接続配線基板の他方の端部をモータの制御基板に接続する際には、前記被覆部材を取り外して折り畳みを解除することを特徴とする請求項３記載のドライブ装置の製造方法。
【請求項５】
前記接続配線基板は、常時折り畳み状態となるように形成されることを特徴とする請求項２〜請求項４のうちのいずれか１項記載のドライブ装置の製造方法。
【請求項６】
記録媒体を回転駆動させるモータと、モータの制御基板とを接続する接続配線基板において、
一端部の各配線がモータ内部の各駆動コイルに電気的に接続可能に設けられ、
他端部の各配線が制御基板に電気的に接続可能に設けられ、
前記各駆動コイルに接続された各配線において、配線外部との電気的な接触が可能なパッド部が設けられていることを特徴とする接続配線基板。
【請求項７】
折り畳み可能に設けられていることを特徴とする請求項６記載の接続配線基板。
【請求項８】
常時折り畳み状態となるように形成されていることを特徴とする請求項７記載の接続配線基板。
【請求項９】
記録媒体をモータで回転駆動させるドライブ装置において、
モータと、モータの制御基板とを接続する接続配線基板が、請求項６〜請求項８のうちのいずれか１項記載の接続配線基板であることを特徴とするドライブ装置。
【請求項１０】
前記接続配線基板は、前記他端部が、制御基板と脱着自在に設けられており、
前記モータには、前記他端部が制御基板から取り外されているとき、モータ上で折り畳まれた状態の接続配線基板の折り畳みが解除されないように、折り畳まれた状態の接続配線基板の上方を覆う被覆部材が設けられていることを特徴とする請求項９記載のドライブ装置。
【発明の詳細な説明】
【技術分野】
【０００１】
本発明は、記録媒体をモータで回転駆動させるドライブ装置の製造方法、記録媒体を回転駆動させるモータとモータの制御基板とを接続する接続配線基板、および記録媒体をモータで回転駆動させるドライブ装置に関する。
【背景技術】
【０００２】
磁気ディスク、光ディスクまたは光磁気ディスクなどの記録媒体は、モータで回転駆動するドライブ装置によってデータの書き込みや読み出しが可能となる。モータとしては、ＤＣブラシレスモータ等が一般的に使用される。
【０００３】
従来のドライブ装置の概略構成を図７に示す。
例えばハードディスク装置の場合、磁気ディスク２を回転駆動させるモータ５を筐体６に組み付けてから、モータ５と制御基板７とを接続している。
なお、モータ５の組み付けられた部位では、筐体６に取付穴８が形成されており、モータ５の上端部５ａが取付穴８から突出するように配置される。
【０００４】
このようなモータ５の上端部５ａには、電気的な接続を行うための接続部が設けられている。
この接続部の平面を図８に、モータの一部断面図を図９に示す。
以下、この接続部をモータＦＰＣ（Flexible  Printed Circuit）１０と称する。モータＦＰＣ１０は、モータを製造しているモータメーカにおいてモータ出荷時に検査を行うために設けられている部材である（例えば、特許文献１参照）。
【０００５】
モータＦＰＣ１０は、モータ５の駆動コイル１１にそれぞれ電気的に接続された複数のパッド部１２を有している。各パッド部１２は表面がはんだによって形成され、各駆動コイル１１へプリント配線１３によって接続されている。各パッド部１２は、モータ５の上端部５ａに露出しており、プリント配線１３による各駆動コイル１１との接続部分１９はモータ外部に露出しない位置に設けられている。
各パット部１２は、モータ５の端部５ａの周囲に互いに所定間隔を開けて形成されており、モータ出荷時に各パッド部１２に電気的な接続をして試験を行いやすいように形成されている。
【０００６】
モータ５が筐体６に取り付けられた後、このモータ５を、制御基板７へ接続する。モータ５と制御基板７との接続は、接続配線基板の一例としてのＦＰＣ（Flexible Printed Circuit）１４によって行われる。
ＦＰＣ１４のモータ側の端部の形状を図１０に示す。
ＦＰＣ１４のモータ側の端部は、モータＦＰＣ１０にはんだ付けによって接続可能な複数のパッド部１５が形成された平板状の接続部１４ａが形成されたものである。
なお、ＦＰＣ１４の制御基板７側の端部はコネクタ１６が設けられており、制御基板７に設けられたコネクタ１７と接続される。
【０００７】
なお、モータ５とＦＰＣ１４との間においても、過去にはコネクタ同士で接続していたこともあった。しかし、ハードディスク装置の小型化、薄型化の要請によって、コネクタでは高さ方向の寸法が大きく成りすぎるので、図示したようにＦＰＣ１４の平板状の接続部１４ａと、モータメーカによって予め接続してあるモータＦＰＣ１０とを重ね合わせて接続するようにしている。
【０００８】
ＦＰＣ１４のモータ側の端部に形成された平板状の接続部１４ａは、モータＦＰＣ１０に形成されたパッド部１２と同一の位置にはんだで形成された複数のパッド部１５を有している。ＦＰＣ１４の各パッド部１５はそれぞれ該当するコネクタの端子と接続するようにプリント配線１８で接続されている。
このような構成のＦＰＣ１４と、モータ５とを接続する際には、モータ５のモータＦＰＣ１０の上にＦＰＣ１４の平板状の接続部１４ａを重ねて、パット部同士をはんだ付けで固定することで接続している。
【０００９】
【特許文献１】特開２００１−１９００５６号公報
【発明の開示】
【発明が解決しようとする課題】
【００１０】
上述してきたように、ドライブ装置筐体にモータを組み込んでから、ＦＰＣをはんだ付けでモータＦＰＣに接続する製造方法では、はんだ付け作業がしづらく、作業ミスを誘発するおそれがあるという課題がある。
作業ミスによる接続不良の例としては、はんだ流れやブリッジなどが考えられる。このような接続不良が生じると、絶縁不良や耐圧不良によって発火や発煙のおそれも出てくる。
【００１１】
そこで、本発明は上記課題を解決すべくなされ、その目的とするところは、モータとモータの制御基板との電気的な接続において、接続不良が生じないように製造することができるドライブ装置の製造方法、接続配線基板およびそれを用いたドライブ装置を提供することにある。
【課題を解決するための手段】
【００１２】
本発明に係るドライブ装置の製造方法によれば、記録媒体をモータで回転駆動させるドライブ装置の製造方法において、モータとモータの制御基板とを接続する接続配線基板の一方の端部が予め接続されたモータを、ドライブ装置筐体に取り付けた後、接続配線基板の他方の端部をモータの制御基板に接続することを特徴としている。
この方法によれば、ドライブ装置筐体に組み付けられたモータに、はんだ付けで接続配線基板を接続しなくてもよいので、作業ミスを減らし接続不良の低減化を図ることができる。
【００１３】
また、前記接続配線基板は、予め折り畳まれた状態に形成されており、該折り畳まれた状態の接続配線基板が接続されたモータを、ドライブ装置筐体に取り付けた後、折り畳みを解除して、接続配線基板の他方の端部をモータの制御基板に接続することを特徴としてもよい。
すなわち、モータに予め接続配線基板を接続しておくと、筐体の取付穴にモータを組み付ける際、接続配線基板が邪魔になる事も考えられる。しかし、接続配線基板を折り畳んでおくことで、接続配線基板が邪魔にならず、筐体の取付穴にモータを容易に組み付けることができる。
【００１４】
また、前記折り畳まれた状態の接続配線基板の一方の端部が接続されたモータをドライブ装置筐体に取り付ける際には、前記折り畳まれた状態の接続配線基板の折り畳みが解除されないように、折り畳まれた状態の接続配線基板の上方を被覆部材によって覆うことを特徴としてもよい。
この方法によれば、折り畳みが解除されて接続配線基板が邪魔にならないようにすることができる。
【００１５】
なお、接続配線基板の他方の端部をモータの制御基板に接続する際には、前記被覆部材を取り外して折り畳みを解除することを特徴としてもよい。
【００１６】
また、前記接続配線基板は、常時折り畳み状態となるように形成されることを特徴としてもよい。
【００１７】
本発明にかかる接続配線基板によれば、記録媒体を回転駆動させるモータと、モータの制御基板とを接続する接続配線基板において、一端部の各配線がモータ内部の各駆動コイルに電気的に接続可能に設けられ、他端部の各配線が制御基板に電気的に接続可能に設けられ、前記各駆動コイルに接続された各配線において、配線外部との電気的な接触が可能なパッド部が設けられていることを特徴としている。
この構成によれば、モータの製造段階でこの接続配線基板を接続させておくことができるので、モータをドライブ装置筐体に組み付けた後に接続配線基板を接続する必要が無くなる。
【００１８】
また、接続配線基板は、折り畳み可能に設けられていることを特徴としてもよく、常時折り畳み状態となるように形成されていることを特徴としてもよい。
【００１９】
本発明にかかるドライブ装置によれば、記録媒体をモータで回転駆動させるドライブ装置において、モータと、モータの制御基板とを接続する接続配線基板が、請求項６〜請求項８のうちのいずれか１項記載の接続配線基板であることを特徴としてもよい。
【００２０】
また、前記接続配線基板は、前記他端部が、制御基板と脱着自在に設けられており、前記モータには、前記他端部が制御基板から取り外されているとき、モータ上で折り畳まれた状態の接続配線基板の折り畳みが解除されないように、折り畳まれた状態の接続配線基板の上方を覆う被覆部材が設けられていることを特徴としてもよい。
【発明の効果】
【００２１】
本発明に係るドライブ装置の製造方法、接続配線基板およびドライブ装置によれば、作業ミスを減らして接続不良の低減化を図ることができる。
【発明を実施するための最良の形態】
【００２２】
以下、本発明に係るドライブ装置、接続配線基板およびその製造方法について最良の形態を説明する。
本実施の形態におけるドライブ装置の例としては、ハードディスク装置とする。ハードディスク装置の場合には、記録媒体としては磁気ディスクが用いられる。
【００２３】
図１は、ハードディスク装置の概略構成を示す斜視図である。また、図２は、筐体へのモータの取付部分を示した断面図である。
ハードディスク装置３０は、筐体３１内に磁気ディスク３３、先端にヘッドスライダを有するキャリッジアーム、磁気ディスク３３を回転駆動するスピンドルモータ３２とを備えている。磁気ディスク３３を回転駆動させるスピンドルモータ（以下、単にモータと称する）３２は、一般的にはＤＣブラシレスモータが用いられる。
【００２４】
ハードディスク装置３０は、上記のような磁気ディスク３３、キャリッジアーム、モータ３２が装置筐体３１（以下、単に筐体と称する場合がある）に組み付けられて構成される。
これら各部品が筐体３１に組み付けられた後、モータ３２と制御基板３４が電気的に接続される。モータ３２と制御基板３４との接続は、接続配線基板３６によって行われる。制御基板３４は、モータ３２へ流す駆動電流を制御する制御回路（コントローラＩＣ等を含む）だけでなく、その他ハードディスク装置３０全体の制御を実行する制御回路が形成されている。
なお、モータ３２には、制御基板３４に接続させるための接続配線基板３６が、モータ３２の製造段階において予め接続されて設けられている。
【００２５】
筐体３１には、モータ３２の取付穴４１が形成されており、モータ３２はその上端部３２ａが取付穴４１から筐体３１外部へ突出するように取り付けられる。
このモータ３２の上端部３２ａに接続配線基板３６が設けられている。
【００２６】
以下、接続配線基板について図３および図４に基づいて、説明する。
接続配線基板３６の例としては、ポリイミド系の被覆材の内部に銅箔を配線として形成したＦＰＣ（Flexible  Printed  Circuit）が用いられる。以下、接続配線基板を単にＦＰＣと称する。
ＦＰＣ３６の一方の端部はモータ３２に接続され、ＦＰＣ３６の他方の端部は制御基板３４に接続される。
ＦＰＣ３６は、長手方向全体に亘って、モータ３２内部の駆動コイルとコネクタの端子とをそれぞれ接続するプリント配線３８が形成されている。
【００２７】
ＦＰＣ３６の一方の端部３６ａは、モータ３２の上端部３２ａの形状に合わせた形状であって、モータ３２の上端部３２ａ上に平面的に配置される。一方の端部３６ａの中央部にはモータ３２の回転軸部分を貫通させる貫通穴３５が形成されている。
さらに、一方の端部３６ａは、モータ３２内部の駆動コイル１１とプリント配線３８とを電気的に接続するために直接はんだ付け等で接続可能な配線部４４が複数本外方へ突出した形状となっている。ただし、この配線部４４はモータ３２への接続時には折り曲げられて配置され、駆動コイル１１から延出された端子部１１ａと配線部４４との接続部分４５は、モータ３２の外部からは見えないように設けられる。
【００２８】
なお、ＦＰＣ３６の他方の端部３６ｂは、コネクタ３７が接続されている。このコネクタ３７は、制御基板３４に設けられているコネクタ３９と接続可能なものである。したがって、ＦＰＣ３６の他方の端部３６ｂと制御基板３４とは、コネクタ３７，３９によってワンタッチでの接続が可能である。
【００２９】
また、ＦＰＣ３６の一方の端部３６ａには、各駆動コイル１１に接続されたプリント配線３８を外部で電気的に接触可能となる複数のパッド部４０が形成されている。パッド部４０ははんだ等の金属で形成されており、形状は概略円形に形成されている。このようなパッド部４０が形成されることで、モータ３２の製造段階においてはパッド部４０に、検査機器等を接続（または接触）させて、出荷前のモータの検査を行うことができる。
【００３０】
なお、ＦＰＣ３６が接続されたまま、筐体３１に組み付けようとしてもＦＰＣ３６が邪魔で容易に組み付けができないおそれがある。筐体３１へのモータ３２の組み付けは、筐体３１に取付穴４１を形成しておき、この取付穴４１にモータ３２を自動機を使って挿入することとなるためである。
そこで、モータ３２に接続されたＦＰＣ３６を折り畳み可能に設けておき、筐体３１への組み付け時には折り畳んでコンパクトな構成にしておけばよい。
【００３１】
折り畳み方法としては、図５に示すようにつづら折り状に形成されるとよい。
このような折り畳みは、ＦＰＣ３６が形成された後に折り畳むのではなく、予めＦＰＣ３６をこのような折り畳み形状に形成しておくとよい。予め、折り畳まれた形状のＦＰＣ３６を採用することによって、常時は折り畳まれ、必要に応じて引っ張ることでＦＰＣ３６を伸ばすことができる。
【００３２】
また、モータ３２の上端部３２ａには、折り畳まれたＦＰＣ３６の上方を覆う固定カバー４６（特許請求の範囲でいう被覆手段）を設けると良い。
固定カバー４６は、合成樹脂等で形成されており、折り畳まれたＦＰＣ３６が伸びてしまわないように押さえつける機能を有する。固定カバー４６は、ＦＰＣ３６を制御基板３４に接続する際には取り外す必要があるので、粘着テープのようなものでモータ３２の上端部３２ａとの間で着脱可能に設けておくとよい。また、固定カバー４６の、モータ３２の上端部３２ａとの間での着脱は、固定カバー４６の先端部をフック状に形成しておき、モータ３２の上端部３２ａの端縁に着脱可能にフック状の部位を掛け止めておくようにしてもよい（図示せず）。
【００３３】
なお、ＦＰＣ３６の上方に固定カバー４６を設けなくても、ＦＰＣ３６自体が折り畳みの解除がされないような構成を採用してもよい。
例えば、ＦＰＣ３６の他方の端部に接続されているコネクタ３７を利用してもよい。この例では、コネクタ３７に予め形成されているロック機構に係合するロック機構をＦＰＣ３６に形成しておき、ＦＰＣ３６が折り畳まれた状態で、コネクタ３７とＦＰＣ３６のロック機構とを係合させる（図示せず）。
この構成では、固定カバー４６を設けなくても良いので、固定カバー４６を設ける例と比較して部品点数の低減という効果がある。
【００３４】
続いて、上述したＦＰＣを用いたモータの製造方法について説明する。
図６は、本発明のハードディスク装置の製造方法を説明するフローチャートである。
まず、モータメーカにおいて、モータの製造時に上述したつづら折り状に折り畳まれたＦＰＣ３６の一方の端部をモータに接続しておく（ステップＳ１００）。このとき固定カバー４６を装着してＦＰＣ３６の折り畳みが解除されないようにしておく。
【００３５】
次に、ハードディスク装置３０の製造メーカにおいて、ＦＰＣ３６が予め接続されたモータ３２を、筐体３１に組み付ける（ステップＳ１０２）。組み付けは、筐体３１に形成された取付穴４１に、モータ３２の上端部３２ａが突出するように自動機で挿入する。
【００３６】
そして、固定カバー４６を剥がし、折り畳まれたＦＰＣ３６を引き延ばす。引き延ばしたＦＰＣ３６の他方の端部３６ｂのコネクタ３７を制御基板３４のコネクタ３９に接続する（ステップＳ１０４）。
これにより、ハードディスク装置の製造が終了する。
【００３７】
なお、上述してきた実施形態では、ドライブ装置の例としてハードディスク装置について説明した。
しかし、本発明としては記録媒体を回転駆動するドライブ装置であれば、ハードディスク装置に限定することはなく、ＣＤドライブ、ＤＶＤドライブ、ＭＯドライブ、フロッピー（登録商標）ディスクドライブ等様々なドライブ装置に採用することができる。
【図面の簡単な説明】
【００３８】
【図１】本発明に係るドライブ装置の概略構成を示す斜視図である。
【図２】図１のドライブ装置のモータ取り付け部分の断面図である。
【図３】本発明に係る接続配線基板の平面図である。
【図４】モータの一部断面図である。
【図５】接続配線基板の折り畳み状態を示す、ドライブ装置のモータ取り付け部分の断面図である。
【図６】本発明に係るドライブ装置の製造方法を説明するフローチャートである。
【図７】従来のドライブ装置の概略構成を示す斜視図である。
【図８】従来のモータの接続部分を示す説明図である。
【図９】従来のモータの一部断面図である。
【図１０】従来の接続配線基板のモータ側の端部の平面図である。
【符号の説明】
【００３９】
３０  ハードディスク装置
３１  筐体
３２  モータ
３２ａ  上端部
３３  磁気ディスク
３４  制御基板
３５  貫通穴
３６  接続配線基板
３６ａ  一方の端部
３６ｂ  他方の端部
３７，３９  コネクタ
３８  プリント配線
４０  パッド部
４１  取付穴
４４  配線部
４５  接続部分
４６  固定カバー
【図１】
2009213318.tif 000003
【図３】
2009213318.tif 000004
【図４】
2009213318.tif 000005
【図６】
2009213318.tif 000006
【図７】
2009213318.tif 000007
【図８】
2009213318.tif 000008
【図９】
2009213318.tif 000009
【図１０】
2009213318.tif 000010
【図２】
2009213318.tif 000011
【図５】
2009213318.tif 000012